(57)【要約】【課題】簡便に製造されうる疑似餌２０提供。【解決手段】疑似餌２０は、ヘッド２２、装着具２４、スプリットリング２６、フックアッセンブリー２８、スカート３０及びネクタイ３２を備えている。ヘッド２２は、タングステンからなる。ヘッド２２は、孔３４を備えている。装着具２４は、ステンレススチールからなる。装着具２４は、板状である。装着具２４の幅方向は、ヘッド２２の幅方向と一致している。装着具２４は、孔３４に遊嵌されている。装着具２４は、ヘッド２２を貫通している。装着具２４の一端側には、スプリットリング２６を介してライン４８が連結されている。装着具２４の他端側には、フックアッセンブリー２８が結ばれている。装着具２４の他端側には、さらに、ゴムバンド４４によってスカート３０及びネクタイ３２が装着されている。【選択図】図１
2008125407.tif 000002
【特許請求の範囲】
【請求項１】
高比重材料からなるヘッドと、アイを有する装着具とを備えており、
このヘッドが孔を有しており、
装着具がこの孔に遊嵌されており、かつヘッドを貫通している疑似餌。
【請求項２】
上記装着具の一端側にスプリットリングが取り付けられており、このスプリットリングが、孔に入り込まないサイズに設定されている請求項１に記載の疑似餌。
【請求項３】
上記装着具が他端側に張出部を備えており、この張出部が、孔に入り込まないサイズに設定されている請求項１又は２に記載の疑似餌。
【請求項４】
上記装着具が板状であり、この装着具の幅方向がヘッドの幅方向と一致している請求項１から３のいずれかに記載の疑似餌。
【請求項５】
上記ヘッドの融点が、装着具の融点よりも高い請求項１から４のいずれかに記載の疑似餌。
【請求項６】
上記ヘッドが主成分としてタングステンを含んでおり、かつ焼結によって得られている請求項５に記載の疑似餌。
【発明の詳細な説明】
【技術分野】
【０００１】
本発明は、釣りに用いられる疑似餌に関する。詳細には、本発明は、高比重材料からなるヘッドを備えた疑似餌に関する。
【背景技術】
【０００２】
カブラと称される疑似餌を用いて、鯛釣りが行われている。図７は、従来の疑似餌２が示された部分断面図である。この疑似餌２は、ヘッド４、ラインアイ６、フックアイ８、フックアッセンブリー１０、スカート１２及びネクタイ１４を備えている。ヘッド４は、鉛合金からなる。ヘッド４は、鋳造によって得られている。ラインアイ６及びフックアイ８は、ステンレススチールからなる。ラインアイ６の一部及びフックアイ８の一部は、ヘッド４に埋め込まれている。ラインアイ６には、ライン１６が結ばれている。フックアッセンブリー１０は、フックアイ８に結ばれている。フックアッセンブリー１０は、フック１８を備えている。スカート１２及びネクタイ１４は、リングを介してフックアイ８に連結されている。スカート１２及びネクタイ１４は、ゴムからなる。
【０００３】
この疑似餌２は、ライン１６が結ばれた状態で、海底に沈められる。ライン１６が引かれて疑似餌２が海水中を上昇すると、水圧を受けてスカート１２及びネクタイ１４がはためく。このはためきは、鯛にアピールする。この疑似餌２を生きた餌と勘違いした鯛は、疑似餌２に食いつく。疑似餌２に装着されたフック１８が鯛に刺さり、鯛が釣り上げられる。
【発明の開示】
【発明が解決しようとする課題】
【０００４】
ラインアイ６及びフックアイ８は、ヘッド４が鋳造されるときの鋳型にインサートされることにより、ヘッド４に固定される。この疑似餌２の製造には手間がかかる。
【０００５】
ヘッド４のサイズが過大であると、鯛が疑似餌２を餌と勘違いしにくい。ヒット率の観点からは、ヘッド４は小さい方が好ましい。潮に流されることなくヘッド４が着底するには、ヘッド４の質量が大きい方が好ましい。小さなサイズと大きな質量との両立の観点から、ヘッド４にタングステン等の高比重金属が用いられることがある。
【０００６】
タングステンの融点は高い。タングステンが用いられたヘッド４は、焼結によって得られうる。焼結時、タングステン粉末は高温に達する。この温度下では、ステンレススチールは溶融する。型へのインサートによる、ヘッド４へのアイ６、８の埋め込みは、不可能である。
【０００７】
タングステンからなるヘッド４にスリット又は穴が形成され、このスリット又は穴にアイ６、８がロウ付けれれば、ヘッド４にアイ６、８が固定されうる。しかし、このロウ付けには手間がかかる。
【０００８】
本発明の目的は、ヘッド及びアイを備えており、かつ簡便に製造されうる疑似餌の提供にある。
【課題を解決するための手段】
【０００９】
本発明に係る疑似餌は、
（１）高比重材料からなるヘッド
及び
（２）アイを有する装着具
を備える。このヘッドは、孔を有する。装着具はこの孔に遊嵌されており、かつヘッドを貫通している。
【００１０】
好ましくは、装着具の一端側にスプリットリングが取り付けられる。このスプリットリングは、孔に入り込まないサイズに設定されている。好ましくは、装着具は他端側に張出部を備える。この張出部は、孔に入り込まないサイズに設定されている。
【００１１】
好ましくは、装着具は板状である。この装着具の幅方向は、ヘッドの幅方向と一致している。
【００１２】
このヘッドと装着具との組み合わせは、ヘッドの融点が装着具の融点よりも高い疑似餌に適している。好ましくは、ヘッドは主成分としてタングステンを含む。このヘッドは、焼結によって得られる。
【発明の効果】
【００１３】
本発明に係る疑似餌では、ヘッドとアイとのインサート成形は不要である。さらにこの疑似餌では、ヘッドへのアイのロウ付けも不要である。この疑似餌は、容易に製造されうる。
【発明を実施するための最良の形態】
【００１４】
以下、適宜図面が参照されつつ、好ましい実施形態に基づいて本発明が詳細に説明される。
【００１５】
図１は、本発明の一実施形態に係る疑似餌２０が示された正面図である。図２は、図１の疑似餌２０の一部が示された縦方向拡大断面図である。図３は、図１の疑似餌２０の一部が示された横方向拡大断面図である。図４は、図２のIV−IV線に沿った拡大断面図である。図５は、図３のＶ−Ｖ線に沿った拡大断面図である。この疑似餌２０は、カブラと称される。この疑似餌２０は、ヘッド２２、装着具２４、スプリットリング２６、フックアッセンブリー２８、スカート３０及びネクタイ３２を備えている。
【００１６】
ヘッド２２は、概して球形である。ヘッド２２が他の形状を呈してもよい。ヘッド２２は、海水よりも高比重な材料からなる。従って、ヘッド２２は海水に沈む。典型的には、ヘッド２２は、主成分としてタングステンを含んでいる。タングステンは、極めて高比重である。タングステンが用いられることにより、小さなサイズと大きな質量とを兼ね備えたヘッド２２が得られる。小さなサイズにより、高いヒット率が達成されうる。大きな質量により、速い沈降速度が達成される。速い速度で沈降することにより、ヘッド２２が潮に流されることなく目的のポイントに着底しうる。このヘッド２２は、焼結によって成形されている。ヘッド２２の質量は、１０ｇから１５０ｇ、特には２０ｇから１００ｇである。ヘッド２２が、鉛又は鉛合金からなってもよい。
【００１７】
ヘッド２２は、孔３４を有している。孔３４は、ヘッド２２を貫通している。図４に示されるように、孔３４の断面形状は矩形である。この孔３４は、切削加工によって形成されうる。孔３４が型成形されてもよい。
【００１８】
装着具２４は、金属材料からなる。典型的には、装着具２４は、ステンレススチールからなる。装着具２４は、板状である。図３に示されるように、装着具２４は、一端側にラインアイ３６を備えている。装着具２４は、他端側にフックアイ３８、張出部４０及びくびれ部４２を備えている。ラインアイ３６及びフックアイ３８は、板が打ち抜かれることで形成されている。張出部４０の幅は、孔３４の幅よりも大きい。くびれ部４２は、幅狭である。このくびれ部４２には、ゴムバンド４４が巻かれている。くびれ部４２は幅狭なので、図３における左右方向へのゴムバンド４４のズレが、くびれ部４２によって阻止される。装着具２４は、ヘッド２２を貫通している。ラインアイ３６、フックアイ３８、張出部４０及びくびれ部４２は、ヘッド２２から露出している。
【００１９】
図４に示されるように、装着具２４の断面形状は矩形である。装着具２４の外寸は、孔３４の内寸よりも小さい。換言すれば、装着具２４は孔３４に遊嵌されている。装着具２４は、ヘッド２２に対して、図３における左右方向にスライドしうる。
【００２０】
図５における左右方向は、ヘッド２２の幅方向である。この幅方向は、ラインアイ３６とフックアイ３８とを結ぶ方向と直交しており、ヘッド２２が水中を落下するときの落下方向とも直交している。装着具２４の幅方向は、ヘッド２２の幅方向と一致している。装着具２４の下面４６は、当接面と称される。当接面４６は、図５の左右方向に延在している。換言すれば、当接面４６の延在方向は、ヘッド２２の幅方向と一致している。
【００２１】
図２に示されるように、スプリットリング２６はラインアイ３６に取り付けられている。図１に示されるように、ラインアイ３６には、このスプリットリング２６を介してライン４８が連結されている。スプリットリング２６のサイズは、大きい。このスプリットリング２６は、孔３４に入り込め得ない。従って、このスプリットリング２６は、図２における右方向への、ヘッド２２からの装着具２４の脱抜を阻止する。図２における左方向への、ヘッド２２からの装着具２４の脱抜は、孔３４よりも幅広である張出部４０によって阻止される。
【００２２】
フックアッセンブリー２８は、フック５０及び鉤素５２からなる。フック５０は、金属材料からなる。鉤素５２は、柔軟な材料からなる。鉤素５２の典型的な材質は、アラミド繊維（登録商標「ケブラー」）である。鉤素５２は、フックアイ３８に結ばれている。鉤素５２の一端は、フック５０に固定されている。
【００２３】
図１に示されるように、スカート３０は、多数のゴム糸５４からなる。このゴム糸５４のセンター近傍は、ゴムバンド４４によって装着具２４に装着されている。図５から明らかなように、ゴム糸５４は装着具２４の上面５６と当接している。ゴム糸５４は、柔軟である。水圧を受けたとき、ゴム糸５４は揺らめいて、鯛にアピールする。このスカート３０は、ブラックバスフィッシングに用いられるラバージグに類似の構造を有している。スカート３０が、合成樹脂製の紐からなってもよい。スカート３０が設けられなくてもよい。
【００２４】
図１に示されるように、ネクタイ３２は、帯状である。ネクタイ３２は、ゴム又は軟質な合成樹脂からなる。このネクタイ３２の中央近傍は、ゴムバンド４４によって装着具２４に装着されている。この装着具２４から下方に向かって、ネクタイ３２が延びている。図５から明らかなように、ネクタイ３２は装着具２４の当接面４６と当接している。当接面４６が幅方向に延在しているので、ネクタイ３２の幅方向はヘッド２２の幅方向と一致している。ネクタイ３２が設けられなくてもよい。
【００２５】
この疑似餌２０では、装着具２４はヘッド２２と一体ではない。この疑似餌２０の製造において、ヘッド２２への装着具２４の埋め込み作業は不要である。この疑似餌２０では、ヘッド２２のインサート成形は不要である。従って、ヘッド２２の融点よりも装着具２４の融点の方が低くても、ヘッド２２の成形時に装着具２４が溶融することはない。この構成の採用により、タングステン等の高融点金属からなるヘッド２２を備えた疑似餌２０が、簡便に製造されうる。
【００２６】
この疑似餌２０が用いられた鯛釣りでは、まず疑似餌２０が海水中に投入される。疑似餌２０は高比重なヘッド２２を備えているので、海水中を沈降して着底する。釣り人がライン４８を引くことで、疑似餌２０は海水中を上昇する。図６には、上昇中の疑似餌２０が示されている。図６の左右方向は、ヘッド２２の幅方向である。ライン４８が引かれることで、ネクタイ３２は図６の紙面に対して垂直方向に水圧を受ける。前述の通り、ネクタイ３２の幅方向はヘッド２２の幅方向と同一なので、ネクタイ３２は広い面積で水圧を受ける。従って、ネクタイ３２のはためきの程度は大きい。このネクタイ３２は、鯛に強くアピールする。鯛は、ネクタイ３２をゴカイ、イソメ等の多毛類と勘違いし、疑似餌２０に食いつく。フック５０が鯛に突き刺さり、鯛が釣り上げられる。この疑似餌２０のヒット率は、従来の疑似餌２０のヒット率よりも高い。
【００２７】
図１から明らかなように、この疑似餌２０では、ライン４８は装着具２４の一端側に連結されており、フックアッセンブリー２８は装着具２４の他端側に結ばれている。従って、フックアッセンブリー２８はラインアイ３６と離れている。この疑似餌２０では、沈降中にフック５０がライン４８に絡み付くことが抑制される。もしフック５０がライン４８に絡み付いていると、鯛が疑似餌２０に食いついても、フッキングしない。この疑似餌２０では、フックアッセンブリー２８がラインアイ３６と離れているので、高いフッキング率が達成されうる。
【００２８】
この疑似餌２０が用いられた鯛釣りでは、装着具２４、フックアッセンブリー２８、スカート３０及びネクタイ３２からなるセットが予め複数準備される。鯛が疑似餌２０に食いつくことにより、スカート３０及びネクタイ３２が損傷を受け、ちぎれることがある。さらに、鯛の歯によって鉤素５２が損傷を受けることもある。損傷が生じた疑似餌２０では、ラインアイ３６からスプリットリング２６がはずされ、装着具２４が図２中の右側へ引かれることで、セットがヘッド２２から容易に取り外される。そして、他のセットの装着具２４が孔３４に差し込まれ、この装着具２４のラインアイ３６にスプリットリング２６が連結される。セットの交換に要する時間は、短い。この疑似餌２０では、フックアッセンブリー２８、スカート３０及びネクタイ３２が、一度に、かつ容易に交換されうる。従って、釣り人が潮時を逃すことがない。
【００２９】
鯛釣りでは、ターゲットとなる鯛のサイズに応じ、フック５０のサイズが決定される必要がある。さらに、ベイトの種類、鯛の活性、天候、潮流、潮の色目、海水温、タナの深さ等に応じ、適切な色目のスカート３０及びネクタイ３２が選択される必要がある。フック２８のサイズ又はスカート３０若しくはネクタイ３２の色目が互いに異なる複数のセットが、準備されることが好ましい。この疑似餌２０では、最適なセットが選択されてヘッド２２に取り付けられうる。この疑似餌２０では、状況の変化に応じ、短時間でセットの交換がなされうる。この疑似餌２０が用いられることで、好ましい釣果が得られうる。
【産業上の利用可能性】
【００３０】
本発明に係る疑似餌は、鯛のみならず、太刀魚、ヒラメ等の種々の魚をターゲットにした釣りに適している。
【図面の簡単な説明】
【００３１】
【図１】図１は、本発明の一実施形態に係る疑似餌が示された正面図である。
【図２】図２は、図１の疑似餌の一部が示された縦方向拡大断面図である。
【図３】図３は、図１の疑似餌の一部が示された横方向拡大断面図である。
【図４】図４は、図２のIV−IV線に沿った拡大断面図である。
【図５】図５は、図３のＶ−Ｖ線に沿った拡大断面図である。
【図６】図６は、図１の疑似餌が海水中を上昇する様子が示された説明図である。
【図７】図７は、従来の疑似餌が示された部分断面図である。
【符号の説明】
【００３２】
２０・・・疑似餌
２２・・・ヘッド
２４・・・装着具
２６・・・スプリットリング
２８・・・フックアッセンブリー
３０・・・スカート
３２・・・ネクタイ
３４・・・孔
３６・・・ラインアイ
３８・・・フックアイ
４０・・・張出部
４２・・・くびれ部
４４・・・ゴムバンド
４６・・・当接面
４８・・・ライン
５０・・・フック
５２・・・鉤素
５４・・・ゴム糸
【図１】
2008125407.tif 000003
【図２】
2008125407.tif 000004
【図３】
2008125407.tif 000005
【図４】
2008125407.tif 000006
【図５】
2008125407.tif 000007
【図６】
2008125407.tif 000008
【図７】
2008125407.tif 000009